(57)【特許請求の範囲】
【請求項１】
Ｈ．３２３を用いた通信システムにて、他のゾーンとの通信のアドレス変換機能、ゾーン管理機能および呼制御シグナリング機能を含むゲートウェイ制御機能を有するマスタゲートキーパと、
このマスタゲートキーパが有するゲートウェイ制御機能のうちのアドレス変換機能およびゾーン管理機能のみを有するプロクシゲートキーパおよび他のゾーンとの通信のプロトコル変換をするゲートウェイを収容する複数のゲートウェイ装置とを具備して、Ｈ．３２３にて記述された１つのゾーンを構成することを特徴とするゲートウェイシステム。
【請求項２】
前記プロクシゲートキーパが、前記マスタゲートキーパが有するゲートウェイ制御機能のうちのアドレス変換機能、ゾーン管理機能および呼制御シグナリング機能のみを有することを特徴とする請求項１に記載のゲートウェイシステム。
【請求項３】
前記ゲートウェイが、前記プロクシゲートキーパへの参加要求の送信に対し参加拒否を受信した場合、前記マスタゲートキーパへ参加要求を送信することを特徴とする請求項１または請求項２に記載のゲートウェイシステム。
【請求項４】
前記マスタゲートキーパ、プロクシゲートキーパ、ゲートウェイのうちいずれかが他のゾーンと通信する際に、ネットワークアドレスとポート番号とを変換するネットワークアドレス＆ポート番号変換装置を有することを特徴とする請求項１〜請求項３のいずれかに記載のゲートウェイシステム。
【請求項５】
前記マスタゲートキーパが、前記ゲートウェイへマスタゲートキーパのシグナリング用トランスポートアドレスを通知し、他のゾーンと通信する際に、前記ネットワークアドレス＆ポート番号変換装置が、マスタゲートキーパのネットワークアドレスおよびポート番号とプロクシゲートキーパのネットワークアドレスおよびポート番号とを変換することを特徴とする請求項４に記載のゲートウェイシステム。
【発明の詳細な説明】
【０００１】
【発明の属する技術分野】
本発明は、H.323を用いた通信システムにおいて、ゲートキーパ機能を分割し、一部をゲートウェイ装置に実装することで、より多くのゲートウェイを１つのゲートキーパに収容することができるH.323ゲートキーパ機能分割によるゲートウェイシステムに関する。
【０００２】
【従来の技術】
従来、H.323ゲートウェイシステムは、サービス品質非保証型ＬＡＮ（例えばEthernetなど）の標準仕様であるＩＴＵ−Ｔ勧告H.323による通信とH.323以外による通信を中継するために用いられ、プロトコル変換を行う。H.323モデルでは、1ゾーンは一つのゲートキーパと一つ以上のエンドポイント(ゲートウェイまたはH.323端末)で構成される。ゲートキーパは、アドレス変換、アクセス変換制御および帯域管理などを行い、ゲートウェイを制御する。1ゾーンのゲートウェイが多くなった場合には、複数のゲートキーパを用意することでゲートキーパの処理の輻輳を回避するが、ゲートウェイは同時に一つのゲートキーパにしか登録できないため、ゲートウェイがゲートキーパ毎に構成される複数ゾーンに分割される。
【０００３】
【発明が解決しようとする課題】
しかしながら、上記の従来技術には、次のような問題点があった。
【０００４】
第１の問題点は、ゲートウェイ数が同じのままで複数ゾーン構成とした場合は呼損率が大きくなることである。その理由は、1ゾーンの規模縮小に応じて大群化効果が薄くなるからである。逆に1ゾーンと同等の呼損率を維持するためには、ゲートウェイの設備数が多くなってしまう。
【０００５】
第２の問題点は、1ゾーン構成の場合はゲートキーパの能力により収容可能なゲートウェイ数に上限があることである。１つのゾーンにより多くのゲートウェイを収容するためには、より高性能のゲートキーパを利用しなければならない。
【０００６】
本発明は、以上の問題点を解決するため、H.323を用いた通信システムにおいて、ゲートキーパ機能を分割し、一部をゲートウェイ装置に実装することで、より多くのゲートウェイを１つのゲートキーパに収容することができるゲートウェイシステムを提供することを目的とする。
【０００７】
【課題を解決するための手段】
上述の課題を解決するため、本発明のゲートウェイシステムは、Ｈ．３２３を用いた通信システムにて、他のゾーンとの通信のアドレス変換機能、ゾーン管理機能および呼制御シグナリング機能を含むゲートウェイ制御機能を有するマスタゲートキーパと、このマスタゲートキーパが有するゲートウェイ制御機能のうちのアドレス変換機能およびゾーン管理機能のみを有するプロクシゲートキーパおよび他のゾーンとの通信のプロトコル変換をするゲートウェイを収容する複数のゲートウェイ装置とを具備して、Ｈ．３２３にて記述された１つのゾーンを構成することを特徴とする。
【０００８】
以上の構成によって、ゲートウェイのアドレス変換要求をプロクシゲートキーパで処理し、マスタゲートキーパの負荷を軽減する。
【０００９】
【発明の実施の形態】
次に、本発明の実施の形態について図面を参照して説明する。
【００１０】
図１を参照すると、本実施の形態は、マスタゲートキーパ１と、ゲートウェイ装置２と、ネットワークアドレス＆ポート番号変換装置３とを含む。ゲートウェイ装置２は、プロクシゲートキーパ２１と、ゲートウェイ２２とを備えている。マスタゲートキーパ１と、ゲートウェイ装置２とで、H.323にて記述されたゾーン６を構成し、他のゾーン７のゲートキーパ４やエンドポイント５との通信はネットワークアドレス＆ポート番号変換装置３を経由して行う。
【００１１】
図２に示すように、従来のH.323ゲートキーパ８の機能を、マスタゲートキーパ１とプロクシゲートキーパ２１とにより機能分散する。プロクシゲートキーパ２１では、従来H.323ゲートキーパ８が処理していたゲートウェイ制御機能のうち、アドレス変換機能２１ａおよびゾーン管理機能２１ｂを持ち、ゲートウェイからのアクセス集中によるボトルネックを解消する。マスタゲートキーパ１は、アドレス変換機能１ａ、ゾーン管理機能１ｂの他に、承認制御機能１ｃ、帯域幅制御機能１ｄ、呼制御シグナリング機能１ｅ、呼認可機能１ｆ、帯域幅管理機能１ｇ、呼管理機能１ｈを持つ。
【００１２】
ネットワークアドレス＆ポート番号変換装置３は、マスタゲートキーパ１、プロクシゲートキーパ２１、ゲートウェイ２２のうちいずれかが他のゾーン７と通信する際に、ネットワークアドレスおよびポート番号を変換する機能を持つ。ポート番号とはトランスポート層におけるアドレスである。特にプロクシゲートキーパ２１のネットワークアドレスおよびポート番号を、マスタゲートキーパ１のネットワークアドレスおよびポート番号に変換することで、他のゾーン７のゲートキーパ４やエンドポイント５からはプロクシゲートキーパ２１の代わりにマスタゲートキーパ１がゾーン６のゲートキーパであるように見える。
【００１３】
ゲートウェイ２２は、従来のH.323ゲートウェイ機能に加え、プロクシゲートキーパ２１で参加拒否された呼への参加要求を、改めてマスタゲートキーパ１へ要求する機能を持つ。
【００１４】
次に、図１、図３、図４及び図５を参照して本実施の形態の動作について詳細に説明する。
【００１５】
図３において、ゲートウェイ２２がエンドポイント５に発信する場合、プロクシゲートキーパ２１に対して参加要求Ａ１を送信する。プロクシゲートキーパ２１ではアドレス変換機能により、他ゾーン７のゲートキーパ４に位置情報要求Ａ２を送るが、途中ネットワークアドレス＆ポート番号変換装置３を経由する際に、位置情報要求Ａ２内のプロクシゲートキーパ２１のネットワークアドレス＆ポート番号をマスタゲートキーパ１のネットワークアドレス＆ポート番号に変換した位置情報要求Ａ３を転送し、ゲートキーパ４では位置情報要求Ａ３が受信される。
【００１６】
ゲートキーパ４では位置情報要求Ａ３に対しエンドポイント５に対するシグナリング用のトランスポートアドレスを含めた位置情報確認Ａ４で応答する。位置情報確認Ａ４が途中ネットワークアドレス＆ポート番号変換装置３を経由する際に、位置情報確認Ａ４内のマスタゲートキーパ１のネットワークアドレス＆ポート番号をプロクシゲートキーパ２１のネットワークアドレス＆ポート番号に変換した位置情報確認Ａ５を転送し、プロクシゲートキーパ２１では位置情報確認Ａ５が受信される。プロクシゲートキーパ２１は、参加要求Ａ１を受け入れるのであれば許可確認Ａ６をゲートウェイ２２へ送信する。ゲートウェイ２２では、許可確認Ａ６で指定されたトランスポートアドレスに対し、シグナリングチャネルＡ７を開設する。
【００１７】
一方、図４において、ゲートウェイ２２がプロクシゲートキーパ２１にない機能を必要とする参加要求Ｂ１を送信した場合、プロクシゲートキーパ２１では参加拒否Ｂ６を送る。なお、位置情報要求Ｂ２から位置情報確認Ｂ５までの手順は図３における位置情報要求Ａ２から位置情報確認Ａ５までの手順と同じである。参加拒否Ｂ６を受信したゲートウェイ２２では、改めてマスタゲートキーパ１に対し参加要求Ｂ７を送信する。マスタゲートキーパ１は、参加要求を受け入れるのであれば、許可確認Ｂ８をゲートウェイ２２へ送信する。ゲートウェイ２２では、許可確認Ｂ８で指定されたトランスポートアドレスに対し、シグナリングチャネルＢ９を開設する。
【００１８】
また、図５において、マスタゲートキーパ１にてシグナリングチャネルを中継する場合を説明する。これは、マスタゲートキーパ１がゲートウェイ２２に通知する許可確認Ｃ８において、エンドポイント５のシグナリング用トランスポートアドレスの代わりに、マスタゲートキーパ１のシグナリング用トランスポートアドレスを通知する点で図４の例と異なる。これにより、ゲートウェイ２２とエンドポイント５との間のシグナリングチャネルは直接開設されず、ゲートウェイ２２とマスタゲートキーパ１とのシグナリングチャネルＣ９と、マスタゲートキーパ１とエンドポイント５とのシグナリングチャネルＣ１０とが開設される。
【００１９】
次に、具体例を用いて本実施の形態の動作を説明する。例えば、図３においてゲートウェイ２２からエンドポイント５の別名アドレスである‘012-345-6789’に対し発信を行う場合、まず、ゲートウェイ２２からプロクシゲートキーパ２１に対し、この別名アドレス‘012-345-6789’への参加要求Ａ１を送信する。プロクシゲートキーパ２１では、この別名アドレス‘012-345-6789’を収容するゲートキーパ４に対し、位置情報要求Ａ２を送り、途中経由するネットワークアドレス＆ポート番号変換装置３で、位置情報要求Ａ２のヘッダ内にあるプロクシゲートキーパ２１のネットワークアドレス＆ポート番号“10.7.8.9:5001”をマスタゲートキーパ１のネットワークアドレス＆ポート番号“10.4.5.6:10001”に変換した位置情報要求Ａ３を転送し、ゲートキーパ４では位置情報要求Ａ３受信時にはマスタゲートキーパ１が送信したように見える。
【００２０】
ゲートキーパ４では位置情報要求Ａ３に対しエンドポイント５に対するシグナリング用のトランスポートアドレス‘10.1.2.3:1720’を含めた位置情報確認Ａ４で応答する。位置情報確認Ａ４が途中ネットワークアドレス＆ポート番号変換装置３を経由する際に、位置情報確認Ａ４のヘッダ内にあるマスタゲートキーパ１のネットワークアドレス＆ポート番号“10.4.5.6:10001”をプロクシゲートキーパ２１のネットワークアドレス＆ポート番号“10.7.8.9:5001”に変換した位置情報確認Ａ５を転送し、マスタゲートキーパ１でなくプロクシゲートキーパ２１で位置情報確認Ａ５が受信される。位置情報確認Ａ５の受信によりプロクシゲートキーパ２１ではエンドポイント５に対するトランスポートアドレス‘10.1.2.3:1720’を得る。その後、エンドポイント５に対するトランスポートアドレス‘10.1.2.3:1720’を含む許可確認Ａ６をゲートウェイ２２へ送信する。ゲートウェイ２２では、指定されたトランスポートアドレス‘10.1.2.3:1720’に対し、シグナリングチャネルＡ７を開設する。
【００２１】
また、図４においてゲートウェイ２２がエンドポイント５の別名アドレスである‘012-345-6789’に対し発信するためにユーザ認証を含む参加要求Ｂ１をプロクシゲートキーパ２１に送信した場合、プロクシゲートキーパ２１では認証機能を持たないので、参加拒否Ｂ６を送る。なお、位置情報要求Ｂ２の送信から位置情報確認Ｂ５の応答受信までの手順は図３の位置情報要求Ａ２の送信から位置情報確認Ａ５の手順と同じである。参加拒否Ｂ６を受信したゲートウェイ２２では、改めてマスタゲートキーパ１に対し参加要求Ｂ７を送信する。マスタゲートキーパ１は、ユーザ認証が成功し参加要求を受け入れるのであれば、参加要求Ｂ８をゲートウェイ２２へ送信する。ゲートウェイ２２では、許可確認Ｂ８で指定されたトランスポートアドレスに対し、シグナリングチャネルＢ９を開設する。
【００２２】
また、図５においてゲートウェイ２２からエンドポイント５の別名アドレスである‘012-345-6789’に対し発信を行う場合、参加要求Ｃ１から参加要求Ｃ７までの手順は図４の参加要求Ｂ１から参加要求Ｂ７までの手順と同じである。マスタゲートキーパ１では、許可確認Ｃ８でエンドポイント５に対するトランスポートアドレス‘10.1.2.3:1720’の代わりにマスタゲートキーパ１自身のトランスポートアドレス‘10.4.5.6:1720’を含む許可確認Ｃ８をゲートウェイ２２へ送信する。ゲートウェイ２２では、指定されたトランスポートアドレス‘10.4.5.6:1720’に対し、シグナリングチャネルＣ９を開設する。さらにマスタゲートキーパ１からエンドポイント５に対するトランスポートアドレス‘10.1.2.3:1720’に対し、シグナリングチャネルＣ１０を開設する。シグナリングチャネルＣ９とシグナリングチャネルＣ１０が、ゲートウェイ２２とエンドポイント５とのシグナリングチャネルとなる。
【００２３】
次に、本発明の他の実施の形態について図面を参照して詳細に説明する。図６および図７の実施の形態は、マスタゲートキーパ１の代わりにプロキシゲートキーパ２１がゾーン６のゲートキーパと他ゾーン７から見える点で図３〜図５の例と異なる。
【００２４】
図６において、ゲートウェイ２２がエンドポイント５に発信する場合、プロクシゲートキーパ２１に対して参加要求Ｄ１を送信する。プロクシゲートキーパ２１ではアドレス変換機能により、他ゾーン７のゲートキーパ４に位置情報要求Ｄ２を送り、位置情報確認Ｄ３の応答でエンドポイント５に対するシグナリング用のトランスポートアドレスを得る。プロクシゲートキーパ２１は、参加要求Ｄ１を受け入れるのであれば許可確認Ｄ４をゲートウェイ２２へ送信する。ゲートウェイ２２では、許可確認Ｄ４で指定されたトランスポートアドレスに対し、シグナリングチャネルＤ５を開設する。
【００２５】
一方、図７において、ゲートウェイ２２がプロクシゲートキーパ２１にない機能を要求する参加要求Ｅ１を送信した場合、プロクシゲートキーパ２１では参加拒否Ｅ４を送る。参加拒否Ｅ４を受信したゲートウェイ２２では、改めてマスタゲートキーパ１に対し参加要求Ｅ５を送信する。マスタゲートキーパ１は、参加要求を受け入れるのであれば、参加要求Ｅ６をゲートウェイ２２へ送信する。ゲートウェイ２２では、参加要求Ｅ６で指定されたトランスポートアドレスに対し、シグナリングチャネルＥ７を開設する。
【００２６】
次に、具体例について説明する。例えば、図６においてゲートウェイ２２からエンドポイント５の別名アドレスである‘012-345-6789’に対し発信を行う場合、まず、ゲートウェイ２２からプロクシゲートキーパ２１に対し、この別名アドレス‘012-345-6789’への参加要求Ｄ１を送信する。プロクシゲートキーパ２１では、この別名アドレス‘012-345-6789’を収容するゲートキーパ４に対し、位置情報要求Ｄ２を送り、位置情報確認Ｄ３の応答でエンドポイント５に対するトランスポートアドレス‘10.1.2.3:1720’を得る。その後、エンドポイント５に対するトランスポートアドレス‘10.1.2.3:1720’を含む許可確認Ｄ４をゲートウェイ２２へ送信する。ゲートウェイ２２では、指定されたトランスポートアドレス‘10.1.2.3:1720’に対し、シグナリングチャネルＤ５を開設する。
【００２７】
また、図７においてゲートウェイ２２がユーザ認証を含む参加要求Ｅ１をプロクシゲートキーパ２１に送信した場合、プロクシゲートキーパ２１では認証機能を持たないので、参加拒否Ｅ４を送る。参加拒否Ｅ４を受信したゲートウェイ２２では、改めてマスタゲートキーパ１に対し参加要求Ｅ５を送信する。マスタゲートキーパ１は、ユーザ認証が成功し参加要求を受け入れるのであれば、参加要求Ｅ６をゲートウェイ２２へ送信する。ゲートウェイ２２では、参加要求Ｅ６で指定されたトランスポートアドレスに対し、シグナリングチャネルＥ７を開設する。
【００２８】
次に、さらに他の実施の形態について図面を参照して詳細に説明する。図８、図９および図１０の実施の形態は、図８を参照すると、プロクシゲートキーパ２１が、図２に示された実施の形態におけるアドレス変換機能２１ａ、ゾーン管理機能２２Ｂに加え、呼制御シグナリング機能２１ｅを有する点で図６、図７の例と異なる。それにより、プロクシゲートキーパ２１の判断により図９で示すようにゲートウェイ２２とエンドポイント５との間のシグナリングチャネルは直接開設されず、ゲートウェイ２２とプロクシゲートキーパ２１とのシグナリングチャネルＦ５と、プロクシゲートキーパ２１とエンドポイント５とのシグナリングチャネルＦ６とが開設されることが可能となる。
【００２９】
また、図１０を参照すると、本実施の形態は、マスタゲートキーパ１がゲートウェイ２２に通知する許可確認Ｇ６において、エンドポイント５のシグナリング用トランスポートアドレスの代わりに、マスタゲートキーパ１のシグナリング用トランスポートアドレスを通知した点で異なる。これにより、ゲートウェイ２２とエンドポイント５との間のシグナリングチャネルは直接開設されず、ゲートウェイ２２とマスタゲートキーパ１とのシグナリングチャネルＧ７と、マスタゲートキーパ１とエンドポイント５とのシグナリングチャネルＧ８とが開設される。
【００３０】
シグナリングチャネルＧ８上で送受信される信号が、ネットワークアドレス＆ポート番号変換装置３を通過する毎に、マスタゲートキーパ１のネットワークアドレスおよびポート番号とプロクシゲートキーパ２１のネットワークアドレスおよびポート番号とが変換される。その結果、エンドポイント５からは、シグナリングチャネルＧ８はプロクシゲートキーパ２１との間に開設されたシグナリングチャネルＧ９のように見える。
【００３１】
次に、具体例について説明する。例えば、図９においてゲートウェイ２２からエンドポイント５の別名アドレスである‘012-345-6789’に対し発信を行う場合、ます、ゲートウェイ２２からプロクシゲートキーパ２１に対し、この別名アドレス‘012-345-6789’への参加要求Ｆ１を送信する。プロクシゲートキーパ２１では、この別名アドレス‘012-345-6789’を収容するゲートキーパ４に対し、位置情報要求Ｆ２を送り、位置情報確認Ｆ３の応答でエンドポイント５に対するトランスポートアドレス‘10.1.2.3:1720’を得る。その後、エンドポイント５に対するトランスポートアドレスの代わりにプロクシゲートキーパ自身のトランスポートアドレス‘10.4.5.6:1720’を含む許可確認Ｆ４をゲートウェイ２２へ送信する。ゲートウェイ２２では、指定されたトランスポートアドレス‘10.4.5.6:1720’に対し、シグナリングチャネルＦ５を開設する。
【００３２】
さらにプロクシゲートキーパからエンドポイント５に対するトランスポートアドレス‘10.1.2.3:1720’に対し、シグナリングチャネルＦ６を開設する。シグナリングチャネルＦ５とシグナリングチャネルＦ６が、ゲートウェイ２２とエンドポイント５とのシグナリングチャネルとなる。
【００３３】
また、図１０においてゲートウェイ２２からエンドポイント５の別名アドレスである‘012-345-6789’に対し発信を行う場合、参加要求Ｇ１から参加要求Ｇ５までの手順は図７の参加要求Ｅ１から参加要求Ｅ５までの手順と同じである。マスタゲートキーパ１では、許可確認Ｇ６でエンドポイント５に対するトランスポートアドレス‘10.1.2.3:1720’の代わりにマスタゲートキーパ１自身のトランスポートアドレス‘10.4.5.7:1720’を含む許可確認Ｇ６をゲートウェイ２２へ送信する。ゲートウェイ２２では、指定されたトランスポートアドレス‘10.4.5.7:1720’に対し、シグナリングチャネルＧ７を開設する。さらにマスタゲートキーパ１からエンドポイント５に対するトランスポートアドレス‘10.1.2.3:1720’に対し、シグナリングチャネルＧ８を開設する。シグナリングチャネルＧ７とシグナリングチャネルＧ８が、ゲートウェイ２２とエンドポイント５とのシグナリングチャネルとなる。
【００３４】
ここで、マスタゲートキーパ１からエンドポイント５へ送られる信号内にあるマスタゲートキーパ１のネットワークアドレスおよびポート番号は、ネットワークアドレス＆ポート番号変換装置３を中継する時点で、プロクシゲートキーパ２１のネットワークアドレスおよびポート番号に変換される。逆にエンドポイント５からマスタゲートキーパ１へ送られる信号内にあるプロクシゲートキーパ２１のネットワークアドレスおよびポート番号は、ネットワークアドレス＆ポート番号変換装置３を中継する時点で、マスタゲートキーパ１のネットワークアドレスおよびポート番号に変換される。よって、シグナリングチャネルＧ８はエンドポイント５から見た場合、プロクシゲートキーパ２１との間に開設されたシグナリングチャネルＧ９のように見える。
【００３５】
以上述べたように、ゲートウェイ２２がエンドポイント５に発信する場合、まずプロクシゲートキーパ２１にH.323通信への参加要求を行う。プロクシゲートキーパ２１はアドレス変換機能によりエンドポイント５の着信先アドレスを求める。そして、参加要求を認める場合には許可確認に着信先アドレスを含めてゲートウェイ２２に通知する。参加要求を認めない場合には、着信先アドレスを含めた参加拒否をゲートウェイ２２に通知する。
【００３６】
ゲートウェイ２２では、参加拒否された場合には改めてマスタゲートキーパ１にH.323通信への参加要求を行う。マスタゲートキーパ１は、ゲートウェイ２２の参加要求を認めるか否かの判断を行い、許可確認または参加拒否をゲートウェイ２２に通知する。ゲートウェイ２２では、プロクシゲートキーパ２１またはマスタゲートキーパ１からの許可確認を受信後、シグナリングチャネルをエンドポイント５との間に開設し、後のH.323の手順を行う。
【００３７】
これにより、従来1つのゲートキーパで処理可能であったゲートウェイの数よりも多くのゲートウェイを処理することが可能となる。
【００３８】
【発明の効果】
以上説明したように、本発明は、ゲートウェイのアドレス変換要求をゲートウェイ装置内部のプロクシゲートキーパで処理し、マスタゲートキーパの負荷を軽減するので、従来1つのゲートキーパで処理可能であったゲートウェイの数よりも多くのゲートウェイを処理することが可能となる。その結果、ゲートウェイの数を増やすにつれ、ゲートキーパの処理能力を向上させたり、ゲートキーパを追加したりする必要がなくなる。
【００３９】
また、ゲートウェイのアドレス変換要求をゲートウェイ装置内部のプロクシゲートキーパで処理することによって、アドレス変換のみを必要とするゲートウェイの処理待ち時間を短縮できる。
【図面の簡単な説明】
【図１】本発明のゲートウェイシステムの構成図である。
【図２】  H.323ゲートキーパの機能ブロック図である。
【図３】ゲートウェイとエンドポイント間の送受信説明図である。
【図４】ゲートウェイとエンドポイント間の送受信説明図である。
【図５】ゲートウェイとエンドポイント間の送受信説明図である。
【図６】ゲートウェイとエンドポイント間の送受信説明図である。
【図７】ゲートウェイとエンドポイント間の送受信説明図である。
【図８】  H.323ゲートキーパの機能ブロック図である。
【図９】ゲートウェイとエンドポイント間の送受信説明図である。
【図１０】ゲートウェイとエンドポイント間の送受信説明図である。
【符号の説明】
１  マスタゲートキーパ
２  ゲートウェイ装置
３  ネットワークアドレス＆ポート番号変換装置
４  ゲートキーパ
５  エンドポイント
６  H.323ゾーン
７  他のゾーン
２１  プロクシゲートキーパ
２２  ゲートウェイ
【図１】
0003667594.tif 000002
【図２】
0003667594.tif 000003
【図３】
0003667594.tif 000004
【図４】
0003667594.tif 000005
【図５】
0003667594.tif 000006
【図６】
0003667594.tif 000007
【図７】
0003667594.tif 000008
【図８】
0003667594.tif 000009
【図９】
0003667594.tif 000010
【図１０】
0003667594.tif 000011